(57)【要約】【課題】十分なクッション性を有し、また自由な図柄の印刷が可能であるとともに表面の手触り、風合いに高級感があり、しかもサイズを調整することによって屋内外を問わず多様な用途の敷物として好適な敷物用クッションシートを提供する。【解決手段】弾性を有する可撓性の素材よりなるクッションベース層２の上面に、絵や文字等の図柄印刷３ａを上面に施した可撓性の図柄シート層３を備え、この図柄シート層の上面に、不織布よりなる可撓性のカバー層４を備え、このカバー層を、不織布繊維の繊維間隙から前記図柄シート層上面の図柄印刷を透視できる密度および厚さのもので構成した。【選択図】  図２
2004268301.tif 000002
【特許請求の範囲】
【請求項１】
弾性を有する可撓性の素材よりなるクッションベース層の上面に、絵や文字等の図柄印刷を上面に施した可撓性の図柄シート層を備え、この図柄シート層の上面に、不織布よりなる可撓性のカバー層を備え、このカバー層を、不織布繊維の繊維間隙から前記図柄シート層上面の図柄印刷を透視できる密度および厚さのもので構成してなる敷物用クッションシート。
【請求項２】
前記クッションベース層の下面に、可撓性を有する素材よりなる防滑層を設けてなる請求項１に記載の敷物用クッションシート。
【請求項３】
前記防滑層は、可撓性シートの下面に防滑性を有する合成樹脂材をラミネートしたもので構成してなる請求項２に記載の敷物用クッションシート。
【請求項４】
前記カバー層は密度が０．００５〜０．０５ｇ／ｃｍ３厚さが０．５〜１０ｍｍである請求項１に記載の敷物用クッションシート。
【請求項５】
前記図柄シート層は、熱溶融性の繊維よりなる不織布で構成され、同不織布の表面を熱処理によって平滑に形成し、平滑面に図柄印刷を施したものである請求項１に記載の敷物用クッションシート。
【請求項６】
前記図柄シート層およびクッションベース層は、いずれも熱溶融性の繊維よりなる不織布で構成され、図柄シート層の不織布の表面を熱処理によって平滑に形成して片面に印刷を施し、この図柄シートの印刷面とは反対側の面に前記クッションベース層用の不織布を熱処理によって軟化させたものを積層し、図柄シート層とクッションベース層間を融着せしめた構成のものである請求項１に記載の敷物用クッションシート。
【請求項７】
前記クッションベース層は、上下２層のウェブを積層してなり、かつ、下層ウェブは上層ウェブよりも太さの小なる繊維で構成してなる請求項１に記載の敷物用クッションシート。
【発明の詳細な説明】
【０００１】
【発明の属する技術分野】
本発明は玄関マットやキッチンマット、カーペットや座布団等の家庭内で使用される敷物や、レジャーシート等の屋外で使用される敷物、あるいは自動車のシートカバー等の敷物などの各種敷物用クッションシートに関する。
【０００２】
【従来の技術とその問題点】
玄関や台所の床面に敷くマットあるいはカーペットや座布団等の屋内で使用される敷物には、従来から各種の繊維よりなる織物製のものが一般的に使用されており、また、屋外で使用されるレジャーシート等の敷物には薄手の合成樹脂シートや発泡ウレタン材シートよりなるものが実用に供されている。
【０００３】
上述した従来品の敷物の構成はいずれも技術文献を示すまでもなく周知であるが、玄関マット等の屋内で使用される敷物は汚れた場合の洗濯に手間が掛かり、かといって簡単に使い捨てできるほど安価なものではないという問題がある。
【０００４】
また台所の床や屋外で使用されるシートとして、薄手の合成樹脂シートが従来から実用に供されているが、薄手の合成樹脂シートには織物のような風合いや高級感は全くなく、しかも台所の床用としてはシート上での立ち仕事の際のクッション性が得られず、屋外用としては座り心地が悪いという問題がある。クッション性に優れている発泡ウレタン材よりなるシートも従来からあるが、この発泡ウレタン材シートも薄手の合成樹脂シートと同様に織物のような風合いや高級感は全くない。
【０００５】
ところで、複数枚の不織布を易剥離性の粘着層を介して積層して台所やトイレ等の床面に粘着層によって貼り付け、表面の不織布が汚れたら剥離して処分する使い捨てタイプの汚れ取りマット積層体が提案されている（例えば、特許文献１参照）。
【０００６】
しかしながら、マットの表面を構成する不織布を柔軟性のある密度のものとすれば、表面が汚れた際の不織布の剥離が困難になり、表面が柔らかな風合いの高級感のあるものとすることはできないという問題がある。
【０００７】
また、不織布を積層した構成のものではあるが、不織布層を徐々に剥離していくにつれてクッション性が低下するという問題もある。
【０００８】
【特許文献１】
特開２００２−２３８７２９号公報（第２−３頁、図１）
【０００９】
【本発明の目的】
本発明の目的とするところは、十分なクッション性を有し、また自由な図柄の印刷が可能であるとともに表面の手触り、風合いに高級感があり、しかもサイズを調整することによって屋内外を問わず多様な用途の敷物として好適な敷物用クッションシートを提供することにある。
【００１０】
【発明の構成】
上記目的を達成するために、本発明の請求項１に係るクッションシートは、弾性を有する可撓性の素材よりなるクッションベース層の上面に、絵や文字等の図柄印刷を上面に施した可撓性の図柄シート層を備え、この図柄シート層の上面に、不織布よりなる可撓性のカバー層を備え、このカバー層を、不織布繊維の繊維間隙から前記図柄シート層上面の図柄印刷を透視できる密度および厚さのもので構成したものとしてある。
【００１１】
本発明の請求項２に係るクッションシートは、前記クッションベース層の下面に、可撓性を有する素材よりなる防滑層を設けた構成のものとしてある。
【００１２】
本発明の請求項３に係るクッションシートは、前記防滑層を、可撓性シートの下面に防滑性を有する合成樹脂材をラミネートしたもので構成したものとしてある。
【００１３】
本発明の請求項４に係るクッションシートは、前記カバー層を密度が０．００５〜０．０５ｇ／ｃｍ３厚さが０．５〜１０ｍｍのもので構成したものとしてある。
【００１４】
本発明の請求項５に係るクッションシートは、前記図柄シート層が、熱溶融性の繊維よりなる不織布で構成され、同不織布の表面を熱処理によって平滑に形成し、平滑面に図柄印刷を施したもので構成したものとしてある。
【００１５】
本発明の請求項６に係るクッションシートは、前記図柄シート層およびクッションベース層を、いずれも熱溶融性の繊維よりなる不織布で構成され、図柄シート層の不織布の表面を熱処理によって平滑に形成して片面に印刷を施し、この図柄シートの印刷面とは反対側の面に前記クッションベース層用の不織布を熱処理によって軟化させたものを積層し、図柄シート層とクッションベース層間を融着せしめた構成したものとしてある。
【００１６】
本発明の請求項７に係るクッションシートは、前記クッションベース層を、上下２層のウェブを積層してなり、かつ、下層ウェブは上層ウェブよりも太さの小なる繊維で構成してなる構成のものとしてある。
【００１７】
【実施例】
以下、本発明に係る敷物用クッションシートの実施例を添付図面に示す具体例に基づいて説明する。
クッションシート１は、クッションベース層２の上面に図柄シート層３を備え、さらにこの図柄シート層３の上面にカバー層４を備えるものとしてあって、これらクッションベース層２、図柄シート層およびカバー層４はいずれも不織布で構成されている。
【００１８】
またクッションベース層２の下面には、防滑層５を設けてあり、クッションシート１を例えば玄関や台所等の床面に敷いた際にクッションシートが滑るような危険を防止している。
【００１９】
しかして、前記クッションベース層２を構成する不織布は、ポリプロピレン樹脂製の芯材まわりをポリエチレン樹脂で被覆した複合繊維よりなる上側ウェブ２ａと、ポリエチレンテレフタレート樹脂製の芯材のまわりをポリエチレン樹脂で被覆した複合繊維よりなる下側ウェブ２ｂとを絡合せしめた構成のものとしてあり、いずれのウェブの複合繊維も例えば芯材と被覆材との重量比が１：１となるものを使用する。かくすると、芯材による適度の形状安定性と、被覆材のポリエチレンの熱融着性によって繊維どうしが充分に絡合するというメリットがある。
【００２０】
また、上下のウェブ２ａ、２ｂの複合繊維の太さは、例えばそれぞれ２０デシックス、２．２デシックスのものすなわち下側ウェブ２ｂの複合繊維は上側ウェブ２ａよりも細い径のものを使用するのが好ましく、上側ウェブ２ａの厚さが下側ウェブ２ｂよりも大となるようにしてクッションシート１の使用時において同シートの上方から下向きに掛かる荷重を上側ウェブで充分に吸収し、下側ウェブで分散できるようにしてあって、具体的な厚さは使用目的や各種仕様等によって適宜選択するが、例えば玄関マット等の屋内で使用されるものの場合は上側ウェブ２ａが８８ｇ／ｍ２、下側ウェブ２ｂが１２ｇ／ｍ２のものを使用して、クッションベース層２全体として２〜４０ｍｍの厚さとなるようにとすると充分なクッション性と安定性を両立せしめることができる。
【００２１】
なお、厚さが２ｍｍ未満であるとクッション性が不充分となり、４０ｍｍを超えるとクッションベースとしての安定性に欠け、例えば玄関マット等の屋内用のものとしては、クッションベース層２全体の厚さの範囲を４〜１５ｍｍとするのがより好適である。
【００２２】
前記図柄シート層３を構成する不織布は、ポリプロピレン樹脂製の芯材まわりをポリエチレン樹脂で被覆した複合繊維よりなり、例えば芯材と被覆材との重量比が１：１である構成のものとしてあり、素材そのものとしては上述したクッションベース層２の上側ウェブ２ａのものと同様であるが、この図柄シート層３は表面を熱ロールによるプレス加工を施してあって、表面が平滑となるように構成してあり、この平滑な表面に絵や文字等の図柄印刷３ａを施してある。なお、印刷図柄には従来からある織物製の図柄を模した印刷や、各種キャラクターの絵、あるいは広告用の図柄と文字のデザイン等の自由な図柄を使用目的に応じて印刷することができ、印刷方法も表面を平滑処理するので、自由に選択することができ、例えばグラビア印刷やフレキソ印刷あるいはオフセットグラビア印刷が実用上の印刷方法として好適である。
【００２３】
前記カバー層４を構成する不織布は、ポリプロピレン樹脂製の芯材まわりをポリエチレン樹脂で被覆した複合繊維よりなり、例えば芯材と被覆材との重量比が１：１である構成のものとしてあり、素材そのものとしては上述したクッションベース層２の上側ウェブ２ａや図柄シート層３のものと同様であるが、この図柄シート層３は不織布繊維間に熱風を透過せしめるエアスルー処理により、繊維間距離の大で密度の小なるものとしてあって、柔らかな手触り感が得られるものとしてあるとともに、カバー層４の下方に位置する図柄シート層３上面の図柄３ａが繊維間から透過して表面に現れるようにしてある。
【００２４】
具体的には、カバー層４の厚さを０．５〜１０ｍｍ、密度を０．００５〜０．０５ｇ／ｃｍ３とし、厚さが０．５ｍｍ未満または密度が０．００５ｇ／ｃｍ３未満であると図柄シート層３を充分に被覆することができず、厚さが１０ｍｍより大または密度が０．０５ｇ／ｃｍ３より大であると、図柄シート層３の図柄３ａが表面に現れないか、あるいは不鮮明になる。なお、例えば玄関マット等の屋内用のものとしては、カバー層の厚さの範囲を４〜１５ｍｍとするのがより好適である。
【００２５】
上述したカバー層４を構成する不織布は無色透明の繊維よりなるものを用いて白色を呈するものとすると、図柄シート層３の図柄印刷３ａの色合いをほぼそのまま表現することが可能であるが、薄い色の繊維を使用するとカバー層を通して表面に現れる図柄印刷３ａの色合いに変化を与えることができ、デザインの多様性を図ることができる。
【００２６】
前記防滑層５は、前記図柄シート層と同様の構成よりなる不織布５ａの下面に、表面摩擦抵抗値の大なる合成樹脂材のラミネート層５ｂを設けたものとしてあり、ラミネート層を構成する合成樹脂材としては例えばエチレンおよび酢酸ビニル、アクリル樹脂の共重合体よりなるものを使用する。このようなエチレンおよび酢酸ビニル、アクリル系樹脂の共重合体よりなる合成樹脂材は低密度で層厚が小であっても充分な防滑効果を得ることができ、ラミネート層が低密度で薄いほど、クッションシート１全体としての柔軟性を損なわずに済むというメリットがあり、具体的にはラミネート層５ｂの密度を０．９ｇ／ｃｍ３以下、厚さを１２μｍ以下とすることができて、充分な柔軟性が得られる。
【００２７】
なお、上記ラミネート層５ｂを構成する合成樹脂材はエチレンおよび酢酸ビニル、アクリル系樹脂の共重合体に限定されるものではなく、エチレン、酢酸ビニル、アクリル系樹脂のうちの任意の組合わせのものを使用することもできるし、ポリエチレン等の単一素材のものを使用することもでき、また、防滑層の上層を構成する不織布５ａの性質や仕様あるいは不織布以外のものを防滑層の上層に用いた場合には、スチレンブタジエンゴム等の一般的な防滑材や発泡ポリエチレンを使用する場合もある。
【００２８】
ところで、前述したクッションベース層２の構成において、このクッションベース層を上下２層のウェブ２ａ、２ｂで構成し、下側のウェブ２ｂは上側のウェブよりも細い繊維のもので構成することについて説明したが、かくすると、上記防滑層５との間接着の安定性が増し、耐久性の向上を期すことができる。
【００２９】
上述したクッションベース層２、図柄シート層３、カバー層４、防滑層５間は、例えばホットメルト等の一般的な接着剤を用いて接着せしめることができるが、上記クッションベース層２と図柄シート層３との間は各層を構成する不織布の繊維どうしの熱融着により接着せしめることができ、かくすると不織布の柔軟性を損なうことなく容易かつ確実に接着することができる。
【００３０】
具体的には、図柄シート層３の表面を熱ロールにて平滑処理してから上面に耐熱性インキを用いて所要の印刷を施し、その後この図柄シート層３の図柄印刷が施された面とは反対側の面に、クッションベース層２を構成する不織布繊維が熱処理によって軟化した状態のものを積層し、これら不織布繊維どうしの融着性より詳しくは不織布繊維を構成する前述の複合繊維表面を構成するポリエチレン樹脂の融着性によって図柄シート層３とクッションベース層２を接着する。
【００３１】
ところで各層間の接着には、上述したホットメルト等の接着剤を用いる方法や、不織布繊維の融着性が残っている状態でその融着性により接着する方法のほかに、各層を重ね合わせた状態で全体に熱風を吹き付けて不織布を構成する繊維の融着性により接着する方法や、不織布を構成する繊維よりも低融点での熱溶融性を有する合成樹脂材製の有孔フィルムを各層間に介在せしめた状態で熱風を透過させることにより有孔フィルムを溶融せしめて接着する方法、あるいはニードルパンチ法によって各層の不織布を構成する繊維どうしを絡合せしめる方法もある。
【００３２】
なお、ホットメルト等の接着剤を用いる場合にはクッションシート１全体の柔軟性が接着剤の硬度によって損なわれないように、接着剤を網点状や格子状に塗布するというような配慮が必要である。
【００３３】
上述した実施例においては、クッションベース層２を上下のウェブ２ａ、２ｂよりなる不織布製のものとしてあるが、単層のものとする場合もあるし、発泡ポリウレタン等の弾性および可撓性を有する素材のもので構成する場合もある。
【００３４】
また、各層における不織布を構成する繊維は、ポリプロピレン樹脂やポリエチレンテレフタレート樹脂よりなる芯材の表面をポリエチレン樹脂で被覆したものとしてあるが、単一の樹脂よりなる繊維や、複数種の繊維が絡合したものとする場合もあるし、合成繊維すなわち化学繊維以外にも木材パルプや羊毛等の植物や動物由来の繊維を混合したものを使用する場合もある。
【００３５】
ただし、各層を構成する不織布を化学繊維で構成されたものとすることにより、シートをリサイクル処理する際に各層を引き剥がすような分別作業が不要であるという大なるメリットがある。
【００３６】
また、図柄シート層３や防滑層５の不織布を複数のウェブを絡合したもので構成する場合もあるし、これら図柄シート層３や防滑層はクッションシート全体の柔軟性を阻害しない素材の例えば極めて薄く、柔軟性が大である合成樹脂材フィルムを使用する場合もある。
【００３７】
さらに、上述した実施例のものではクッションベース層２の下面に防滑層５を設けてあるが、例えば屋外で使用されるレジャーシートのように防滑性があまり要求されないような用途の場合には防滑層を設けない場合もある。
【００３８】
なお、上述した本発明のクッションシートは、玄関マット、キッチンマット、トイレマット、バスマット、カーペット等の屋内で使用されるマット類や、枕カバー等の寝具類、ソファカバーや椅子用の座布団等の家具用カバーやクッション、自動車のシート用カバーや車内装飾用品カバー等の自動車用品、レジャーシートや屋外でのスポーツ観戦等に使用される座布団タイプのクッション等の行楽用品などを一例として挙げることができるが、もちろん上掲のもの以外にも用途は多様である。
【００３９】
【発明の作用、効果】
本発明に係る敷物用クッションシートは、クッションベース層によってシートのクッション性が得られ、かつ図柄シート層の上面に施された印刷図柄が不織布よりなるカバー層を通して表面に現れる。
【００４０】
上記図柄シート層の印刷図柄はカバー層に覆われてクッションシートの表面はカバー層の不織布繊維によって柔らかでさらりとした感触の手触りが得られ、かつ印刷図柄がカバー層を通してクッションシート表面に現れるので、柔らかな色合いの表現が可能となり、質感、デザインともに高級感溢れるクッションシートとすることができる。
【００４１】
また、上記印刷図柄はカバー層によって覆われているので、クッションシート使用時における摩擦等の外力で印刷図柄が剥落するおそれはなく、印刷図柄の美しさが長期に亘って保たれる。
【００４２】
なお、印刷図柄がカバー層によって保護されているので、クッションシートを洗濯しても印刷図柄が色褪せたり消えてしまったりというようなおそれはまずなく、汚れが付着しても洗濯して清潔に再利用ができる。しかも各層を不織布で構成した場合には、不織布の保水性が織物に比して極めて小で脱水性が良好であるので、洗濯後のクッションシートは軽くてクッションシートを干す作業が楽であり、しかも乾燥に係る時間も短くて済むというメリットもある。
【００４３】
さらに、本発明のクッションシートは従来の玄関マット等の織物製のものに比して格段に安価に製造することができて使い捨てのものとすることもでき、しかも織物とは違って自在に裁断することが可能であるので、面積の大なるクッションシートを製造した上で、使用目的に合わせた縦横寸法のものに裁断したり、縁部の形状を例えば波形状のような特殊な形状となるように打ち抜いたりという加工も行なうことができ、製品の多様化に容易に対応することができる。
また、使用者（消費者）がはさみやカッターで自由に裁断して使用することもできる。
【００４４】
また、クッションベース層は図柄シート層の印刷図柄によってその色が隠蔽されるので、クッションベース層に色付きペットボトルの再生品からなるポリエチレンテレフタレート樹脂繊維を使用することができる。このことは、従来は回収された使用済みの色付きペットボトルは樹脂材料としてペレット等に再生されても色付きであるがために樹脂材料の用途が限定され、回収はされたが再利用されない使用済みペットボトルの量の増加はリサイクルにおける重大な障碍となっており、本発明のクッションシートのように、多様な用途があるものの素材に使用済み色付きペットボトルを有効な材料として使用できることは環境問題に資するところ大である。もちろん、本発明のクッションシートは全ての素材を合成繊維製のものとすることにより、有効に再利用できる。
【図面の簡単な説明】
【図１】本発明に係るクッションシートの実施例を示す一部破断斜視図。
【図２】本発明に係るクッションシートの実施例を拡大して示す縦断面図。
【符号の説明】
１  クッションシート
２  クッションベース層
３  図柄シート層
４  カバー層
５  防滑層
【図１】
2004268301.tif 000003
【図２】
2004268301.tif 000004